(57)【要約】      （修正有）【課題】装置内部への異物等の侵入を防止し、且つスピーカの音質を向上させた画像記録装置を提供する。【解決手段】記録用紙が載置される給紙トレイ２０と、給紙トレイ２０に載置された記録用紙を搬送路の搬送向きに搬送する搬送機構と、搬送機構によって搬送路を搬送される記録用紙に画像を記録する記録部２４と、給紙トレイ２０を保持した状態で外部に向けて開口する開放空間１６が内部に形成されており、且つ開放空間１６の周りに搬送機構及び記録部２４を収納する筐体と、筐体の内部に配置され、開放空間に向けて音声を出力するスピーカ９０とを備える。【選択図】図３
2014069451.tif 000002
【特許請求の範囲】
【請求項１】
シートが収容される収容部と、
上記収容部に収容されたシートを搬送路の搬送向きに搬送する搬送機構と、
上記搬送機構によって搬送路を搬送されるシートに画像を記録する記録部と、
上記収容部を保持した状態で外部に向けて開口する開放空間が内部に形成されており、且つ上記開放空間の周りに上記搬送機構及び上記記録部を収納する筐体と、
上記筐体の内部に配置され、上記開放空間に向けて音声を出力するスピーカと、を備える画像記録装置。
【請求項２】
上記スピーカは、上記開放空間に連通する音響空間の内部に、音声を出力する音声出力面を向けて配置された請求項１に記載の画像記録装置。
【請求項３】
上記開放空間は、上記筐体の前面の幅方向の中央において開口し、且つ上記筐体の内部を奥行き方向に向けて形成されており、
上記音響空間は、上記筐体の内部において、上記開放空間と上記幅方向に隣接する位置に形成された請求項２に記載の画像記録装置。
【請求項４】
上記記録部は、
上記搬送向きと直交する走査方向に往復動するキャリッジと、
上記キャリッジに搭載され、シートにインクを吐出する記録ヘッドと、を備え、
上記筐体は、
上記開放空間と上記幅方向に隣接し且つ上記前面に接する位置に設けられ、上記記録ヘッドに供給されるインクを貯留するインクカートリッジを収納するカートリッジ収納部と、
上記カートリッジ収納部とその後方側において隣接する位置に設けられ、上記記録ヘッドから吐出された廃インクを貯留する廃インク貯留部と、を更に収納し、
上記音響空間は、上記廃インク貯留部とその後方側において隣接する位置に形成された請求項３に記載の画像記録装置。
【請求項５】
上記音響空間は、上記開放空間に連通する手前で互いに合流する第１空間と第２空間とに区画され、
上記スピーカは、上記音声出力面を上記第１空間に向け、且つ上記音声出力面の背面を上記第２空間に向けて配置された請求項２から４のいずれかに記載の画像記録装置。
【請求項６】
上記開放空間は、上記筐体の前面の幅方向の中央において開口し、且つ上記筐体の内部を奥行き方向に向けて形成されており、
上記スピーカは、上記筐体の内部で上記開放空間を区画する壁面において、音声を出力する音声出力面が上記開放空間に露出されている請求項１に記載の画像記録装置。
【請求項７】
上記スピーカは、上記開放空間を区画する壁面のうち、上記幅方向に対向する一対の側壁面の一方において、上記音声出力面が上記開放空間に露出されている請求項６に記載の画像記録装置。
【請求項８】
上記搬送機構及び上記記録部は、上記筐体の内部において、上記開放空間と奥行き方向に隣接する位置に配置されており、
上記スピーカは、圧電体に電圧が印加されることによって音声を出力する圧電型のスピーカであり、上記開放空間を区画する壁面のうち、上記開口に対向する奥壁面において、上記音声出力面が上記開放空間に露出されている請求項６に記載の画像記録装置。
【請求項９】
上記スピーカは、ＭＥＭＳ（Ｍｉｃｒｏ  Ｅｌｅｃｔｒｏ  Ｍｅｃｈａｎｉｃａｌ  Ｓｙｓｔｅｍｓ）によって形成された請求項１から８のいずれかに記載の画像記録装置。
【請求項１０】
上記搬送機構又は上記記録部の動作によって生じる動作音の位相を反転させた相殺音を記憶する記憶部と、
上記記憶部に記憶されている上記相殺音を、上記搬送機構又は上記記録部の動作に同期させて上記スピーカに出力させる制御部と、を備える請求項１から９のいずれかに記載の画像記録装置。
【請求項１１】
上記搬送機構は、上記収容部に収容されたシートを搬送路へ給送する給送ローラと、上記記録部より上記搬送向きの上流側に配置され、上記給送ローラによって給送されたシートを上記搬送向きに搬送する搬送ローラと、を備え、
上記記憶部は、上記給送ローラの上記動作音の位相を反転させた上記相殺音を記憶し、
上記制御部は、上記スピーカに、上記給送ローラによるシートの給送が開始されたタイミングで上記相殺音の出力を開始させ、上記搬送ローラによるシートの搬送が開始されたタイミングで上記相殺音の出力を停止させる請求項１０に記載の画像記録装置。
【請求項１２】
上記搬送ローラは、予め定められた改行幅単位でシートを間欠的に搬送し、
上記記憶部は、上記搬送ローラの上記動作音の位相を反転させた上記相殺音を記憶し、
上記制御部は、上記スピーカに、上記搬送ローラによる上記改行幅単位の搬送が開始されたタイミングで上記相殺音の出力を開始させ、上記搬送ローラによる上記改行幅単位の搬送が終了したタイミングで上記相殺音の出力を停止させる請求項１０又は１１に記載の画像記録装置。
【請求項１３】
上記記録部は、上記搬送向きと直交する走査方向に往復動するキャリッジと、上記キャリッジに搭載されてシートにノズルからインクを吐出する記録ヘッドとを備え、上記記録ヘッドのノズルが形成された領域に対向するシートのノズル対向領域毎に画像記録を行うものであり、
上記記憶部は、上記記録部の上記動作音の位相を反転させた上記相殺音を記憶し、
上記制御部は、上記スピーカに、上記記録部による上記ノズル対向領域に対する画像記録が開始されるタイミングで上記相殺音の出力を開始させ、上記記録部による上記ノズル対向領域に対する画像記録が終了するタイミングで上記相殺音の出力を停止させる請求項１０から１２のいずれかに記載の画像記録装置。
【請求項１４】
上記搬送機構は、上記記録部より上記搬送向きの下流側に配置され、上記記憶部によって画像が記録されたシートを上記搬送向きに搬送する排出ローラを備え、
上記記憶部は、上記排出ローラの上記動作音の位相を反転させた上記相殺音を記憶し、
上記制御部は、上記スピーカに、上記排出ローラによるシートの搬送が開始されたタイミングで上記相殺音の出力を開始させ、シートの後端が上記排出ローラを通過したタイミングで上記相殺音の出力を停止させる請求項１０から１３のいずれかに記載の画像記録装置。
【請求項１５】
当該画像記録装置は、上記搬送機構又は上記記録部の動作によって生じる動作音を収音するマイクを更に備え、
上記制御部は、上記マイクで収音された上記動作音の位相を反転させた相殺音を生成し、生成した上記相殺音を上記スピーカに出力させる請求項１から９のいずれかに記載の画像記録装置。
【発明の詳細な説明】
【技術分野】
【０００１】
本発明は、スピーカを有する画像記録装置に関する。
【背景技術】
【０００２】
従来より、画像記録装置には、装置トラブルや用紙切れなどの発生をユーザに報知する警告音を出力するスピーカが設けられている。従来の画像記録装置においては、筐体の内壁面にスピーカが取り付けられ、筐体を貫通する小孔を通じて音声が出力される構成が一般的である。または、特許文献１には、スピーカユニットを外付けした画像形成装置が開示されている。
【０００３】
また近年では、警告音のみならず、トラブルの内容説明や操作を補助するガイド音声を出力可能な画像記録装置も知られている。そこで、ユーザに聞き取りやすい音質を確保するために、警告音のみを出力する場合と比較して、大きな音量及び広い音域が必要になっている。
【先行技術文献】
【特許文献】
【０００４】
【特許文献１】特開２００４−１２８６９０号公報
【発明の概要】
【発明が解決しようとする課題】
【０００５】
しかしながら、上述のようにスピーカを取り付ける場合、筐体側面に設けられた小孔を通じて異物（液体、金属片など電気系統に著しい問題を引き起こすもの）、或いは静電気（回路上の素子を破壊する原因になる）の侵入による装置故障の恐れがある。また、スピーカの前方に空間が確保されていない従来の取り付け方法では、十分な音量及び音域を確保することは難しい。一方、特許文献１に開示されているように、スピーカユニットを外付けするのは、装置の小型化の観点から現実的ではない。
【０００６】
本発明は、上記の事情に鑑みてなされたものであり、その目的は、装置内部への異物等の侵入を防止し、且つスピーカの音質を向上させた画像記録装置を提供することにある。
【課題を解決するための手段】
【０００７】
(1)  本発明に係る画像記録装置は、シートが収容される収容部と、上記収容部に収容されたシートを搬送路の搬送向きに搬送する搬送機構と、上記搬送機構によって搬送路を搬送されるシートに画像を記録する記録部と、上記収容部を保持した状態で外部に向けて開口する開放空間が内部に形成されており、且つ上記開放空間の周りに上記搬送機構及び上記記録部を収納する筐体と、上記筐体の内部に配置され、上記開放空間に向けて音声を出力するスピーカとを備える。
【０００８】
上記構成によれば、スピーカから出力される音声は、開放空間を通って開口から装置外部に出力される。このように、スピーカの前方に容積の大きな空間を設けることにより、スピーカの音質が向上する。また、スピーカの音を出力するための開口（すなわち、小孔）を筐体の壁面に設ける必要がないので、装置内部への異物等の侵入を防止できる。
【０００９】
(2)  一例として、上記スピーカは、上記開放空間に連通する音響空間の内部に、音声を出力する音声出力面を向けて配置されてもよい。
【００１０】
上記構成のように、スピーカの音声出力面は、開放空間に露出している必要はなく、開放空間に連通する音響空間に面していればよい。これにより、画像記録装置の内部におけるスピーカの配置の自由度が高まる。
【００１１】
(3)  上記開放空間は、上記筐体の前面の幅方向の中央において開口し、且つ上記筐体の内部を奥行き方向に向けて形成されていてもよい。そして、上記音響空間は、上記筐体の内部において、上記開放空間と上記幅方向に隣接する位置に形成されていてもよい。
【００１２】
(4)  さらに、上記記録部は、上記搬送向きと直交する走査方向に往復動するキャリッジと、上記キャリッジに搭載され、シートにインクを吐出する記録ヘッドとを備えている。上記筐体は、上記開放空間と上記幅方向に隣接し且つ上記前面に接する位置に設けられ、上記記録ヘッドに供給されるインクを貯留するインクカートリッジを収納するカートリッジ収納部と、上記カートリッジ収納部とその後方側において隣接する位置に設けられ、上記記録ヘッドから吐出された廃インクを貯留する廃インク貯留部とを更に収納している。そして、上記音響空間は、上記廃インク貯留部とその後方側において隣接する位置に形成されてもよい。
【００１３】
(5)  好ましくは、上記音響空間は、上記開放空間に連通する手前で互いに合流する第１空間と第２空間とに区画されている。そして、上記スピーカは、上記音声出力面を上記第１空間に向け、且つ上記音声出力面の背面を上記第２空間に向けて配置されている。
【００１４】
上記構成によれば、筐体の内部においてバスレフ型のスピーカを実現できる。その結果、特に低音域における音質が向上する。
【００１５】
(6)  また、上記開放空間は、上記筐体の前面の幅方向の中央において開口し、且つ上記筐体の内部を奥行き方向に向けて形成されていてもよい。そして、上記スピーカは、上記筐体の内部で上記開放空間を区画する壁面において、音声を出力する音声出力面が上記開放空間に露出されていてもよい。
【００１６】
(7)  一例として、上記スピーカは、上記開放空間を区画する壁面のうち、上記幅方向に対向する一対の側壁面の一方において、上記音声出力面が上記開放空間に露出されている。
【００１７】
(8)  他の例として、上記搬送機構及び上記記録部は、上記筐体の内部において、上記開放空間と奥行き方向に隣接する位置に配置されている。そして、上記スピーカは、圧電体に電圧が印加されることによって音声を出力する圧電型のスピーカであり、上記開放空間を区画する壁面のうち、上記開口に対向する奥壁面において、上記音声出力面が上記開放空間に露出されている。
【００１８】
上記構成によれば、スピーカから出力された音声が開口から外部に直接放出されるので、十分な音量を確保するのが容易となる。しかしながら、開放空間の奥側には搬送機構及び記録部が設けられており、スピーカを配置する空間は極めて小さい。そこで、厚み寸法を薄くできる圧電型のスピーカを採用することにより、上述の小さな空間に配置することが可能となる。
【００１９】
(9)  一例として、上記スピーカは、ＭＥＭＳ（Ｍｉｃｒｏ  Ｅｌｅｃｔｒｏ  Ｍｅｃｈａｎｉｃａｌ  Ｓｙｓｔｅｍｓ）によって形成されてもよい。
【００２０】
但し、本発明の画像記録装置に搭載されるスピーカはＭＥＭＳによって形成されたものに限定されず、既存のあらゆるスピーカを採用することができる。例えば、ピエゾ素子（圧電体）に電圧を印加することによって音声を出力する周知の圧電型のスピーカを採用してもよい。
【００２１】
(10)  好ましくは、当該画像記録装置は、更に、上記搬送機構又は上記記録部の動作によって生じる動作音の位相を反転させた相殺音を記憶する記憶部と、上記記憶部に記憶されている上記相殺音を、上記搬送機構又は上記記録部の動作に同期させて上記スピーカに出力させる制御部とを備える。
【００２２】
上記構成によれば、動作音と相殺音とが開放空間内で互いに打ち消し合ってから外部に出力されるので、静粛性に優れた画像記録装置を実現できる。なお、「搬送機構又は記録部の動作によって生じる動作音」とは、搬送機構又は記録部そのものから出力される音のみならず、例えば、搬送機構によって搬送されるシートの変形に伴う音等をも含むものとする。
【００２３】
(11)  一例として、上記搬送機構は、上記収容部に収容されたシートを搬送路へ給送する給送ローラと、上記記録部より上記搬送向きの上流側に配置され、上記給送ローラによって給送されたシートを上記搬送向きに搬送する搬送ローラとを備える。上記記憶部は、上記給送ローラの上記動作音の位相を反転させた上記相殺音を記憶する。上記制御部は、上記スピーカに、上記給送ローラによるシートの給送が開始されたタイミングで上記相殺音の出力を開始させ、上記搬送ローラによるシートの搬送が開始されたタイミングで上記相殺音の出力を停止させる。
【００２４】
(12)  他の例として、上記搬送ローラは、予め定められた改行幅単位でシートを間欠的に搬送する。上記記憶部は、上記搬送ローラの上記動作音の位相を反転させた上記相殺音を記憶する。上記制御部は、上記スピーカに、上記搬送ローラによる上記改行幅単位の搬送が開始されたタイミングで上記相殺音の出力を開始させ、上記搬送ローラによる上記改行幅単位の搬送が終了したタイミングで上記相殺音の出力を停止させる。
【００２５】
(13)  さらに他の例として、上記記録部は、上記搬送向きと直交する走査方向に往復動するキャリッジと、上記キャリッジに搭載されてシートにノズルからインクを吐出する記録ヘッドとを備え、上記記録ヘッドのノズルが形成された領域に対向するシートのノズル対向領域毎に画像記録を行うものである。上記記憶部は、上記記録部の上記動作音の位相を反転させた上記相殺音を記憶する。上記制御部は、上記スピーカに、上記記録部による上記ノズル対向領域に対する画像記録が開始されるタイミングで上記相殺音の出力を開始させ、上記記録部による上記ノズル対向領域に対する画像記録が終了するタイミングで上記相殺音の出力を停止させる。
【００２６】
(14)  さらに他の例として、上記搬送機構は、上記記録部より上記搬送向きの下流側に配置され、上記記憶部によって画像が記録されたシートを上記搬送向きに搬送する排出ローラを備える。上記記憶部は、上記排出ローラの上記動作音の位相を反転させた上記相殺音を記憶する。上記制御部は、上記スピーカに、上記排出ローラによるシートの搬送が開始されたタイミングで上記相殺音の出力を開始させ、シートの後端が上記排出ローラを通過したタイミングで上記相殺音の出力を停止させる。
【００２７】
(15)  好ましくは、当該画像記録装置は、上記搬送機構又は上記記録部の動作によって生じる動作音を収音するマイクを更に備える。そして、上記制御部は、上記マイクで収音された上記動作音の位相を反転させた相殺音を生成し、生成した上記相殺音を上記スピーカに出力させる。
上記構成によれば、マイクによって実際に収音された動作音を打ち消すことができるので、使用環境等に依存する動作音の変化等に柔軟に対応できる。
【発明の効果】
【００２８】
本発明によれば、装置内部への異物等の侵入を防止し、且つスピーカの音質を向上させた画像記録装置を得ることができる。
【図面の簡単な説明】
【００２９】
【図１】図１は、本発明の実施形態の一例である複合機１０の外観斜視図である。
【図２】図２は、プリンタ部１１の内部構造を模式的に示す縦断面図である。
【図３】図３は、複合機１０の内部構造を示す斜視図である。
【図４】図４は、フレーム７０を裏面から見た斜視図である。
【図５】図５は、音響室８０の形状を示す図であり、（Ａ）は平面図、（Ｂ）はＢ−Ｂにおける断面図、（Ｃ）はＣ−Ｃにおける断面図、（Ｄ）はＤ−Ｄにおける断面図である。
【図６】図６は、制御部１３０の構成を示すブロック図である。
【図７】図７は、画像記録処理の手順を示すフローチャートである。
【図８】図８は、給紙処理の手順を示すフローチャートである。
【図９】図９は、所定の改行幅の搬送処理の手順を示すフローチャートである。
【図１０】図１０は、ノズル対向領域に対する画像記録処理の手順を示すフローチャートである。
【図１１】図１１は、排紙処理の手順を示すフローチャートである。
【図１２】図１２は、変形例に係る音響室８０の形状を示す図であり、図５（Ｃ）に対応する断面図である。
【図１３】図１３は、変形例に係る警告音／ガイダンス音声出力処理の手順を示すフローチャートである。
【発明を実施するための形態】
【００３０】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００３１】
［複合機１０］
図１に示されるように、本発明の画像記録装置の一例である複合機１０は、概ね薄型の直方体に形成されており、下部にインクジェット記録方式のプリンタ部１１が設けられている。また、複合機１０は、ファクシミリ機能及びプリント機能などの各種の機能を有している。
【００３２】
図１に示されるように、プリンタ部１１は、前面に開口１３（本発明の開口の一例）が形成された筐体１４（本発明の筐体の一例）を有している。給紙トレイ２０（本発明の収容部の一例）は、開口１３から前後方向８に挿抜可能である。給紙トレイ２０には、所望のサイズの記録用紙（本発明のシートに相当）が載置される。排紙トレイ２１は、給紙トレイ２０の上側に配置される。なお、本発明の収容部は上述の給紙トレイ２０の形態に限定されず、給紙カセット或いは給紙台等のように、複数のシートを収容可能なあらゆる形態が包含される。
【００３３】
また、図２に示されるように、プリンタ部１１は、記録用紙を給送する給紙部１５と、記録用紙を搬送する搬送ローラ対５８及び排出ローラ対５９と、記録用紙に画像を記録するインクジェット記録方式の記録部２４（本発明の記録部の一例）とを主に備える。プリンタ部１１は、外部機器から受信した印刷データなどに基づいて、記録用紙に画像を記録する。
【００３４】
［フレーム７０]
筐体１４は、その内部にフレーム７０（図３及び図４参照）を収納している。フレーム７０は、鉄やステンレス等の金属で構成され、プリンタ部１１を構成する各部材を保持する。図２及び図４に示されるように、フレーム７０によって区画される筐体１４の内部には、開放空間１６が形成されている。
【００３５】
開放空間１６は、給紙トレイ２０及び排紙トレイ２１を収納する空間である。開放空間１６は、給紙トレイ２０及び排紙トレイ２１を収納した状態において、開口１３を通じて外部と連通している。すなわち、給紙トレイ２０及び排紙トレイ２１は、開口１３を完全に閉鎖しない。また、開放空間１６は、開口１３からプリンタ部１１の内部を前後方向８（本発明の奥行き方向の一例）に向かって延在する空間である。より詳細には、前後方向８において、開放空間１６は、その上側の領域がプリンタ部１１の前面から中央付近にまで延在し、その下側の領域がプリンタ部１１の前面から最奥部付近にまで延在している。そして、この開放空間１６の周りには、搬送路６５及びプリンタ部１１の各構成要素が配置される。
【００３６】
［給紙部１５］
図２に示されるように、給紙部１５は、給紙トレイ２０の上側、すなわち、開放空間１６の上側に設けられている。給紙部１５は、給紙ローラ２５（本発明の給送ローラの一例）、給紙アーム２６、及び複数のギヤが噛合されてなる駆動伝達機構２７を備えている。給紙ローラ２５は、給紙アーム２６の先端部で軸支されている。給紙アーム２６は、基端部に設けられた軸２８を中心として、矢印２９の方向に回動する。これにより、給紙ローラ２５は、給紙トレイ２０に載置された記録用紙に当接及び離間が可能である。給紙ローラ２５は、駆動伝達機構２７によって給紙用モータ１０２（図６参照）の駆動力が伝達されて回転する。給紙ローラ２５は、給紙トレイ２０上に積載された記録用紙のうち、一番上側の記録用紙に当接された状態で、当該記録用紙を他の記録用紙から分離して後述する湾曲路６６へ供給する。以下、上述の動作を「記録用紙のピックアップ」と表記する。
【００３７】
［搬送路６５］
図２に示されるように、プリンタ部１１の内部には、給紙トレイ２０の先端（後方側の端部）から記録部２４を経て排紙トレイ２１に至るまでの区間に、記録用紙を案内可能な搬送路６５が形成されている。搬送路６５は、給紙トレイ２０の先端から搬送ローラ対５８に至る区間に形成された湾曲路６６と、搬送ローラ対５８から記録部２４の直下を経て排紙トレイ２１に至る区間に形成された直線路６７とに区分される。
【００３８】
湾曲路６６は、給紙トレイ２０の先端付近から搬送ローラ対５８に亘って延設された湾曲状の通路である。湾曲路６６は、開放空間１６の後方側に位置する。記録用紙は、湾曲路６６を搬送方向（図２において一点鎖線で示される方向）に沿って搬送向き（図２において一点鎖線に付された矢印の向き）に案内される。湾曲路６６は、搬送ローラ対５８を挟んで直線路６７と連続している。これにより、記録用紙は、湾曲路６６を介して直線路６７に案内される。湾曲路６６は、所定間隔を隔てて互いに対向する内側ガイド部材１９及び外側ガイド部材１７によって区画されている。
【００３９】
直線路６７は、湾曲路６６における搬送向きの下流端、つまり搬送ローラ対５８から排紙トレイ２１に亘って前後方向８に延設された直線状の通路である。直線路６７は、開放空間１６の上側に位置する。記録用紙は、直線路６７を搬送向き（図２において二点鎖線に付された矢印の向き）に案内される。記録用紙は、記録部２４によって画像が記録された後に排紙トレイ２１に排出される。直線路６７は、記録部２４が設けられている箇所において、所定間隔を隔てて互いに対向する記録部２４及びプラテン４２によって区画されており、記録部２４が設けられていない箇所において、所定間隔を隔てて互いに対向する上側ガイド部材５２及び下側ガイド部材５３よって区画されている。
【００４０】
［記録部２４］
図２に示されるように、記録部２４は、直線路６７の上側に設けられている。すなわち、記録部２４は、開放空間１６の上側で且つ奥側に位置する。記録部２４は、ノズルからインクを微小なインク滴として吐出する記録ヘッド３８（本発明の記録ヘッドの一例）と、記録ヘッド３８を搭載して主走査方向、つまり図２の紙面に垂直な方向である左右方向９へ往復移動するキャリッジ４０（本発明のキャリッジの一例）とを備えている。
【００４１】
キャリッジ４０に搭載された記録ヘッド３８には、後述するインクカートリッジ３３、３４、３５、３６（図３参照）からインクが供給される。記録ヘッド３８の下面のノズル面３９には、ノズルが形成されている。ノズルは、直線路６７の下方に記録部２４と所定間隔を空けて対向するプラテン４２に向けて、インク滴を吐出する。搬送向きに搬送される記録用紙は、プラテン４２によって支持される。
【００４２】
以上より、キャリッジ４０が主走査方向へ往復動されながら、ノズルからプラテン４２上を搬送される記録用紙に向けてインク滴が吐出される。これにより、搬送ローラ対５８によって搬送された記録用紙のうち、ノズル面３９に対向するノズル対向領域（本発明のノズル対向領域に相当）に画像が記録される。なお、ノズル対向領域は、プラテン４２に支持されている記録用紙のうち、キャリッジ４０が主走査方向に往復動する際にノズル面３９に対向し得る領域であり、ノズル面３９の搬送向きの最上流及び最下流に位置するノズルの距離に相当する幅を持ち、且つ主走査方向に延びる帯状の領域である。
【００４３】
図３に示されるように、キャリッジ４０は、プリンタ部１１の内部に設けられたフレーム７０に取り付けられたガイドレール４５、４６によって支持されている。筐体１４の後方側の領域において、ガイドレール４５、４６は、前後方向８に対向して配置されると共に、各々が左右方向９に延設されている。キャリッジ４０は、ガイドレール４５、４６を跨ぐようにして左右方向９に移動可能に載置されている。
【００４４】
ガイドレール４５の上面には、駆動プーリ（不図示）と従動プーリ４８と無端環状のベルト４９とが配置されている。駆動プーリ及び従動プーリ４８は、ガイドレール４５の左右方向９の両端付近に設けられている。駆動プーリ及び従動プーリ４８を架け渡すように、無端環状のベルト４９が張架されている。駆動プーリの軸には、キャリッジ４０を駆動させるためのキャリッジ駆動用モータ１０３の駆動軸が連結されている。キャリッジ駆動用モータ１０３の回転駆動力が駆動プーリに伝達されると、駆動プーリの回転によりベルト４９が周運動する。キャリッジ４０は、その底面側においてベルト４９に連結されている。ベルト４９が周運動すると、キャリッジ４０は、ガイドレール４５、４６上を左右方向９に移動する。
【００４５】
［搬送ローラ対５８及び排出ローラ対５９］
図２に示されるように、直線路６７における記録部２４より搬送向きの上流側には、直線路６７の上側に配置された搬送ローラ６０と、直線路６７の下側に搬送ローラ６０に対向して配置されたピンチローラ６１とを備える搬送ローラ対５８が設けられている。搬送ローラ対５８は、開放空間１６の上側で且つ奥側に位置する。ピンチローラ６１は、バネなどの弾性部材（不図示）によって搬送ローラ６０のローラ面に圧接されている。搬送ローラ対５８は、記録用紙を挟持して搬送向きの下流側（つまり、プラテン４２側）へ搬送する。なお、搬送ローラ対５８は、予め定められた改行幅単位で記録用紙を間欠的に搬送する。以下、上述の搬送ローラ対５８の動作を「所定の改行幅の搬送処理」と表記する。なお、所定の改行幅は、上述のノズル対向領域の幅よりも狭い幅である。
【００４６】
直線路６７における記録部２４より搬送向きの下流側には、直線路６７の下側に配置された排出ローラ６２と、直線路６７の上側に排出ローラ６２に対向して配置された拍車６３とを備える排出ローラ対５９が設けられている。排出ローラ対５９は、開放空間１６の上側に位置する。拍車６３は、バネなどの弾性部材（不図示）によって排出ローラ６２のローラ面に圧接されている。排出ローラ対５９は、記録部２４を通過した記録用紙を挟持して搬送向きの下流側（つまり、排紙トレイ２１側）へ搬送する。
【００４７】
搬送ローラ６０及び排出ローラ６２は、搬送用モータ１０１（図６参照）から駆動力が伝達されて回転する。搬送用モータ１０１が正転または逆転の一方に回転された場合、搬送ローラ６０及び排出ローラ６２は、搬送路６５上の記録用紙を搬送向きに搬送する。なお、給紙部１５、搬送ローラ対５８、及び排出ローラ対５９は、本発明の搬送機構の一例を構成する。
【００４８】
［レジストセンサ６４］
図２に示されるように、プリンタ部１１は、給紙ローラ２５及び搬送ローラ対５８の間の湾曲路６６の所定位置に、レジストセンサ６４を備える。レジストセンサ６４は、設置位置における記録用紙の有無を検知し、検知結果に応じた検知信号を後述する制御部１３０に出力する。例えば、レジストセンサ６４は、記録用紙の一部がレジストセンサ６４を通過しているときにＨｉｇｈレベル信号（つまり信号レベルが閾値以上の信号）を制御部１３０に出力し、記録用紙がレジストセンサ６４を通過していないときにＬｏｗレベル信号（つまり信号レベルが閾値未満の信号）を制御部１３０に出力する。
【００４９】
［カートリッジ収納部３０］
図１及び図３に示されるように、プリンタ部１１の前面には、カートリッジ収納部３０が設けられている。カートリッジ収納部３０は、左右方向９において開放空間１６に隣接し、且つプリンタ部１１の前面に接する位置に設けられる。図１に示されるように、プリンタ部１１の前面右側には、プリンタ部１１の前面の下端を軸として矢印３２の方向に回動することによって開閉可能なカバー３１が設けられている。カバー３１が開かれることによって、カートリッジ収納部３０が露出される。カートリッジ収納部３０は、開口を有する略直方体の箱状の部材である。
【００５０】
インクカートリッジ３３、３４、３５、３６は、開口を通じてカートリッジ収納部３０内へ挿抜される。カートリッジ収納部３０の天面と底面とには、ガイド溝（不図示）が形成されている。インクカートリッジ３３、３４、３５、３６は、ガイド溝に沿って挿抜される。本実施形態において、ガイド溝は、カートリッジ収納部３０の天面と底面とに、それぞれ４つずつ形成されている。本実施形態において、カートリッジ収納部３０には、シアン、マゼンタ、イエロー、ブラックの各色に対応する４つのインクカートリッジ３３、３４、３５、３６が挿抜可能である。
【００５１】
［インク供給管３７］
各色インクを収容したインクカートリッジ３３、３４、３５、３６は、プリンタ部１１のカートリッジ収納部３０に装着されている。そして、図３に示されるように、カートリッジ収納部３０からキャリッジ４０へは、各色インクに対応した４本のインク供給管３７が引き回されている。キャリッジ４０へ引き回されたインク供給管３７は、キャリッジ４０に搭載された記録ヘッド３８へ各色インクを供給する。
【００５２】
インク供給管３７は、例えば、合成樹脂製であって、ストレート形状に形成されたチューブである。インク供給管３７は、ストレート形状を保持する適度な腰（曲げ剛性）を有し、外力が付加されることにより撓む可撓性と、その外力が解除されたときに元の形状に復元する弾性とを有する。インク供給管３７は、この可撓性及び弾性によって、キャリッジ４０の往復動に追従して姿勢変化する。
【００５３】
［廃インクタンク５０］
図３に示されるように、カートリッジ収納部３０の後方には、廃インクタンク５０（本発明の廃インク貯留部の一例）が設けられている。すなわち、廃インクタンク５０は、左右方向９において開放空間１６に隣接し、且つカートリッジ収納部３０とその後方側において隣接する位置に設けられる。廃インクタンク５０には、記録ヘッド３８から吐出された廃インクが貯留される。より詳細には、廃インクタンク５０には、ポンプ（不図示）によってノズルからインクを吸引するパージ動作、或いはノズルにインクを空吐出させるフラッシング動作の実行によって排出された廃インクが貯留される。
【００５４】
［音響室８０、スピーカ９０］
図３に示されるように、筐体１４の内部には、音響室８０が設けられている。音響室８０は、左右方向９において開放空間１６に隣接し、且つ廃インクタンク５０とその後方側において隣接する位置に設けられる。音響室８０のさらに後方には、キャリッジ駆動用モータ１０３が設けられている。すなわち、前後方向８において、音響室８０は、廃インクタンク５０とキャリッジ駆動用モータ１０３との間に設けられている。
【００５５】
音響室８０の内部には、音響空間８１（図５参照）が形成されている。図５（Ｂ）、（Ｃ）、（Ｄ）に示されるように、音響空間８１は、音響室８０の上部から下部に向かって横断面積が徐々に大きくなる錘形状である。図４に示されるように、音響室８０の下面は、開放されている。音響空間８１は、その下端部において、フレーム７０の下面に設けられた連通溝８２を通じて開放空間１６に連通している。また、図５に示されるように、音響室８０の上部において、音響室８０の前面側を向く壁面には、開口８３が設けられている。音響室８０の開口８３の面積は、図５（Ｃ）に示されるように、後述するスピーカ９０の音声出力面９１の面積より僅かに小さく設定されている。
【００５６】
すなわち、音響室８０は、音響空間８１を区画する隔壁を有する。換言すれば、音響空間８１は、音響室８０の壁面によって区画される空間である。但し、音響空間８１を区画する壁面は、上述の例に限定されず、周辺の構成要素の壁面（例えば、廃インクタンク５０の後方側の壁面）を用いて、音響空間８１を区画してもよい。
【００５７】
音響室８０の外壁面には、スピーカ９０が取り付けられている。より詳細には、スピーカ９０は、音響室８０の上部において、音響室８０の前面側を向く壁面に板バネ９２によって圧接されている。スピーカ９０の音声出力面９１は、音響室８０に設けられた開口８３を通じて音響空間８１に露出されている。すなわち、スピーカ９０は、音声出力面９１を音響空間８１の内部に向けて配置されている。すなわち、スピーカ９０の音声出力面９１から出力される音声は、音響空間８１を下向きに伝播し、連通溝８２を通じて開放空間１６に放出され、さらに開口１３を通じて外部に放出される。
【００５８】
スピーカ９０は、後述する制御部１３０の制御に従って、音声出力面９１から音声を出力する。スピーカ９０から出力される音声の詳細は特に限定されないが、例えば、複合機１０の異常をユーザに報知する警告音、ユーザがすべき次の動作を案内するガイダンス音声、及び複合機１０の動作音を相殺する相殺音等が挙げられる。詳細は後述される。
【００５９】
スピーカ９０の具体的な構成は特に限定されないが、例えば、ピエゾ素子(本発明の圧電体の一例)に電圧を印加することによって音声を出力する圧電型スピーカを採用することができる。これにより、スピーカ９０の厚みを薄く構成できる。また、圧電型スピーカには磁石が用いられないので、磁気センサや電気回路に悪影響を及ぼすことがなく、且つ周辺の鉄粉を吸着することによる不具合を回避できる。また、スピーカ９０の形成方法は特に限定されないが、ＭＥＭＳ（Ｍｉｃｒｏ  Ｅｌｅｃｔｒｏ  Ｍｅｃｈａｎｉｃａｌ  Ｓｙｓｔｅｍｓ）によって形成されたものであってもよい。
【００６０】
［制御基板７１、制御部１３０］
図３に示されるように、フレーム７０の前方側の領域において、フレーム７０の上面には、制御基板７１がビスなどによって固定されている。制御基板７１は、プリント基板（不図示）と、プリント基板上に実装されたマイクロコンピュータや種々の電子部品（制御回路）とで構成されている。制御基板７１に実行されたマイクロコンピュータや電子部品等で、図６に示される制御部１３０（本発明の制御部の一例）が構成される。制御基板７１と記録ヘッド３８とは、フレキシブルフラットケーブル７２によって電気的に接続される。フレキシブルフラットケーブル７２は、キャリッジ４０の往復動に追従して姿勢変化する可撓性を有する。
【００６１】
制御部１３０は、複合機１０の全体動作を制御するものである。制御部１３０が後述するフローチャートに従った処理を実行することによって、本発明が実現される。制御部１３０は、図６に示されるように、ＣＰＵ１３１、ＲＯＭ１３２、ＲＡＭ１３３、ＥＥＰＲＯＭ１３４、ＡＳＩＣ１３５、及びこれらを相互に接続する内部バス１３７を備える。
【００６２】
ＲＯＭ１３２には、ＣＰＵ１３１が記録動作を含む各種動作を制御するためのプログラムなどが格納されている。ＲＡＭ１３３は、ＣＰＵ１３１がプログラムを実行する際に用いるデータや信号等を一時的に記録する記憶領域として使用される。ＥＥＰＲＯＭ１３４には、電源オフ後も保持すべき設定やフラグ等が格納される。ＥＥＰＲＯＭ１３４（本発明の記憶部の一例）には、例えば、後述する相殺音を表す情報が格納される。
【００６３】
ＡＳＩＣ１３５には、搬送用モータ１０１、給紙用モータ１０２、及びキャリッジ駆動用モータ１０３が接続されている。ＡＳＩＣ１３５には、各モータを制御する駆動回路が組み込まれている。ＣＰＵ１３１は、各モータを回転させるための駆動信号を駆動回路（不図示）に出力する。駆動回路は、ＣＰＵ１３１から取得した駆動信号に応じた駆動電流を対応するモータへ出力する。これにより、対応するモータが回転する。つまり、制御部１３０は、各モータ１０１、１０２、１０３の駆動（回転）を制御する。
【００６４】
より詳細には、制御部１３０は、例えば、給紙用モータ１０２を駆動させることによって、給紙ローラ２５に記録用紙を給送させる。また、制御部１３０は、搬送用モータ１０１を駆動させることによって、搬送ローラ対５８及び排出ローラ対５９に記録用紙を搬送させる。また、制御部１３０は、キャリッジ駆動用モータ１０３を駆動させることによって、キャリッジ４０を左右方向９へ往復動させる。
【００６５】
なお、複合機１０の各構成要素と、当該構成要素を駆動させるモータ１０１〜１０３との対応関係は図６の例に限定されない。例えば、給紙ローラ２５、搬送ローラ６０、及び排出ローラ６２を１つのモータに接続し、当該モータの駆動力を図示しない駆動切換機構によって各構成要素に伝達する構成であってもよい。
【００６６】
また、ＡＳＩＣ１３５には、フレキシブルフラットケーブル７２によって、記録ヘッド３８が接続されている。制御部１３０は、フレキシブルフラットケーブル７２を通じて記録ヘッド３８に制御信号を送信することにより、ノズルから所定のタイミングでインクを吐出させる。これにより、搬送路６５を搬送される記録用紙に画像が記録される。
【００６７】
また、ＡＳＩＣ１３５には、スピーカ９０が接続されている。制御部１３０は、スピーカ９０に警告音、ガイダンス音声、及び相殺音等を出力させる。スピーカ９０に音声を出力させる際の具体的な処理内容は、後述される。
【００６８】
さらに、ＡＳＩＣ１３５には、レジストセンサ６４が接続されている。制御部１３０は、レジストセンサ６４から入力された検知信号の信号レベル（電圧値又は電流値）が所定値以上であるか否かを判断する。制御部１３０は、入力された検知信号の信号レベルが所定値以上である場合にＨｉｇｈレベル信号と判断し、所定値未満の場合にＬｏｗレベル信号と判断する。制御部１３０は、入力された検知信号がＨｉｇｈレベルの場合（つまり、レジストセンサ６４がＯＮ）、記録用紙の先端がレジストセンサ６４の位置を通過した後であり、且つ記録用紙の後端がレジストセンサ６４の位置を通過する前であると判断する。一方、制御部１３０は、入力された検知信号がＬｏｗレベルの場合（つまり、レジストセンサ６４がＯＦＦ）、記録用紙の先端がレジストセンサ６４の位置に到達する前の状態、或いは記録用紙の後端がレジストセンサ６４の位置を通過した後の状態であると判断する。
【００６９】
図７〜図１２を参照して、制御部１３０によって実行される画像記録処理が説明される。複合機１０は、画像記録処理を実行する際に、様々な動作音を発生させる。そこで、図７に示される画像記録処理の各フェーズにおいて、動作音を発生させる各構成要素の動作に同期させて、当該動作音を相殺するための相殺音をスピーカ９０に出力させる制御部１３０の処理が、図８〜図１２を参照して説明される。
【００７０】
動作音とは、複合機１０の各構成要素が動作することによって生じる音であり、例えば、各モータ１０１〜１０３の駆動音、記録用紙が変形する際に生じる音、キャリッジ４０がガイドレール４５、４６上を摺動する際に生じる音等が該当する。動作音と相殺音とは、概ね同振幅で且つ逆位相である。相殺音を生成する方法の詳細は省略するが、例えば、複合機１０を実際に動作させることによって生じる動作音をマイクで収音し、収音した動作音に周知の適応フィルタを適用することによって、当該動作音の位相を反転させた相殺音を生成することができる。生成された相殺音は、例えばＥＥＰＲＯＭ１３４に予め記憶されている。
【００７１】
図７に示されるように、制御部１３０は、複合機１０に画像記録処理の開始させる指示が入力されると、給紙処理を実行する（Ｓ１０）。図８を参照して、給紙処理の詳細が説明される。
【００７２】
図８に示されるように、制御部１３０は、給紙用モータ１０２を正転駆動することによって、給紙ローラ２５を回転させる（Ｓ１１０）。また、制御部１３０は、搬送用モータ１０１を逆転駆動することによって、搬送ローラ６０を逆回転（記録用紙を搬送する向きと逆向き）させる。これにより、給紙トレイ２０上の一番上の記録用紙がピックアップされる。このとき、搬送用モータ１０１及び給紙用モータ１０２の駆動音、及びピックアップされる記録用紙が他の記録用紙と擦れる音等が動作音として出力される。そこで、ＥＥＰＲＯＭ１３４には、上記動作音の位相を反転させた相殺音（以下、「ピックアップキャンセル音」と表記する）が予め記憶されている。
【００７３】
制御部１３０は、ステップＳ１１０の処理に同期させて、ＥＥＰＲＯＭ１３４に記憶されているピックアップキャンセル音をスピーカ９０に出力させる（Ｓ１２０）。そして、制御部１３０は、レジストセンサ６４からＨｉｇｈレベル信号が出力されるのを監視する（Ｓ１３０）。すなわち、制御部１３０は、レジストセンサ６４からＨｉｇｈレベル信号が検知されるまで、ピックアップキャンセル音をスピーカ９０に出力させ続ける。より詳細には、制御部１３０は、レジストセンサ６４からＨｉｇｈレベル信号が検知された後（Ｓ１３０：Ｙｅｓ）であって、記録用紙が搬送ローラ対５８に到達するまでの間、スピーカ９０にピックアップキャンセル音を出力させ続ける。
【００７４】
次に、搬送路６５を搬送される記録用紙の先端が逆回転している搬送ローラ対５８に到達すると、記録用紙の斜行が矯正される。このとき、搬送ローラ対５８に当接することによって記録用紙が変形する音が動作音として出力される。そこで、ＥＥＰＲＯＭ１３４には、上記動作音の位相を反転させた相殺音（以下、「レジストキャンセル音」と表記する）が予め記憶されている。
【００７５】
制御部１３０は、ステップＳ１３０においてＨｉｇｈレベル信号が出力された後（Ｓ１３０：Ｙｅｓ）、所定の時間（レジストセンサ６４から搬送ローラ対５８までの距離を記録用紙が搬送される時間）が経過したタイミングで、ＥＥＰＲＯＭ１３４に記憶されているレジストキャンセル音をスピーカ９０に出力させる（Ｓ１４０）。このレジストキャンセル音は、搬送ローラ対５８によって記録用紙の斜行が矯正される僅かな期間にのみ出力される。
【００７６】
次に、制御部１３０は、給紙用モータ１０２を停止させることによって、給紙ローラ２５の回転を停止させる（Ｓ１５０）。また、制御部１３０は、搬送用モータ１０１を停止させることによって、搬送ローラ対５８を停止させる。これにより、図７の給紙処理（Ｓ１０）が終了される。すなわち、給紙処理における制御部１３０は、スピーカ９０に、給紙ローラ２５による記録用紙のピックアップが開始されたタイミングで相殺音（ピックアップキャンセル音）の出力を開始させ、記録用紙の先端が搬送ローラ対５８に到達した（搬送ローラ対５８による記録用紙の搬送が開始される）タイミングで相殺音（レジストキャンセル音）の出力を停止させる。
【００７７】
図７に戻って、制御部１３０は、記録用紙に記録すべき画像が残っているか否かを判断する（Ｓ２０）。そして、記録用紙に記録すべき画像が残っていれば（Ｓ２０：Ｙｅｓ）、制御部１３０は、所定の改行幅の搬送処理を実行する（Ｓ３０）。図９を参照して、所定の改行幅の搬送処理の詳細が説明される。
【００７８】
図９に示されるように、制御部１３０は、搬送用モータ１０１を正転駆動することによって、搬送ローラ６０を回転させる（Ｓ３１０）。これにより、搬送路６５上の記録用紙が搬送ローラ対５８に挟持されて搬送向きの下流側に搬送される。このとき、搬送用モータ１０１の駆動音、及び搬送ローラ対５８に挟持された記録用紙の変形によって生じる音等が動作音として出力される。そこで、ＥＥＰＲＯＭ１３４には、上記動作音の位相を反転させた相殺音（以下、「搬送キャンセル音」と表記する）が予め記憶されている。
【００７９】
制御部１３０は、ステップＳ３１０の処理に同期させて、ＥＥＰＲＯＭ１３４に記憶されている搬送キャンセル音をスピーカ９０に出力させる（Ｓ３２０）。そして、制御部１３０は、記録用紙が所定の改行幅だけ搬送されるのを監視する（Ｓ３３０）。すなわち、制御部１３０は、記録用紙が所定の改行幅だけ搬送されるまでの間、搬送キャンセル音をスピーカ９０に出力させ続ける。なお、記録用紙の搬送量は、例えば、搬送用モータ１０１の回転量（つまり、搬送ローラ６０の回転量）を検知するロータリーエンコーダ（不図示）によって取得される。
【００８０】
記録用紙が所定の改行幅だけ搬送されると（Ｓ３３０：Ｙｅｓ）、制御部１３０は、搬送用モータ１０１を停止させることによって、搬送ローラ６０の回転を停止させる（Ｓ３４０）。これにより、図７の所定の改行幅の搬送処理（Ｓ３０）が終了される。すなわち、所定の改行幅の搬送処理における制御部１３０は、スピーカ９０に、搬送ローラ６０が記録用紙を所定の改行幅だけ搬送し始めたタイミングで搬送キャンセル音の出力を開始させ、搬送ローラ６０が記録用紙を所定の改行幅だけ搬送し終わったタイミングで搬送キャンセル音の出力を停止させる。
【００８１】
再び図７に戻って、制御部１３０は、記録用紙のノズル対向領域に対する画像記録処理を実行する（Ｓ４０）。図１０を参照して、ノズル対向領域に対する画像記録処理の詳細が説明される。
【００８２】
図１０に示されるように、制御部１３０は、キャリッジ駆動用モータ１０３を正転駆動或いは逆転駆動することによって、キャリッジ４０を主走査方向に移動させる（Ｓ４１０）。また、制御部１３０は、フレキシブルフラットケーブル７２を通じて記録ヘッド３８に制御信号を出力することにより、所定のタイミングでノズルからインクを吐出させる。これにより、記録用紙のノズル対向領域に画像が記録される。このとき、キャリッジ駆動用モータ１０３の駆動音、及びキャリッジ４０とガイドレール４５、４６との摺動音等が動作音として出力される。そこで、ＥＥＰＲＯＭ１３４には、上記動作音の位相を反転させた相殺音（以下、「画像記録キャンセル音」と表記する）が予め記憶されている。
【００８３】
制御部１３０は、ステップＳ４１０の処理に同期させて、ＥＥＰＲＯＭ１３４に記憶されている画像記録キャンセル音をスピーカ９０に出力させる（Ｓ４２０）。そして、制御部１３０は、ノズル対向領域に対する画像記録が終了するのを監視する（Ｓ４３０）すなわち、制御部１３０は、記録用紙のノズル対向領域に対する画像記録が終了するまでの間、画像記録キャンセル音をスピーカ９０に出力させ続ける。
【００８４】
記録用紙のノズル対向領域に対する画像記録が終了すると（Ｓ４３０：Ｙｅｓ）、制御部１３０は、キャリッジ４０を待機位置に移動させて、キャリッジ駆動用モータ１０３を停止させる（Ｓ４４０）。これにより、図７のノズル記録領域に対する画像記録処理（Ｓ４０）が終了される。すなわち、ノズル記録領域に対する画像記録処理における制御部１３０は、スピーカ９０に、記録部２４によるノズル対向領域に対する画像記録が開始されるタイミングで画像記録キャンセル音の出力を開始させ、記録部２４によるノズル対向領域に対する画像記録が終了するタイミングで画像記録キャンセル音の出力を停止させる。
【００８５】
再び図７に戻って、制御部１３０は、当該記録用紙に記録すべき画像がなくなるまで（Ｓ２０：Ｎｏ）、ステップＳ３０〜Ｓ４０の処理を繰り返し実行する。そして、当該記録用紙に記録すべき画像がなくなると（Ｓ２０：Ｎｏ）、制御部１３０は、排紙処理を実行する（Ｓ５０）。図１１を参照して、排紙処理の詳細が説明される。
【００８６】
図１１に示されるように、制御部１３０は、搬送用モータ１０１を正転駆動することによって、排出ローラ６２を回転させる（Ｓ５１０）。これにより、搬送路６５上の記録用紙が排出ローラ対５９に挟持されて搬送向きの下流側に搬送される。このとき、搬送用モータ１０１の駆動音、及び排出ローラ対５９に挟持された記録用紙の変形によって生じる音等が動作音として出力される。そこで、ＥＥＰＲＯＭ１３４には、上記動作音の位相を反転させた相殺音（以下、「排出キャンセル音」と表記する）が予め記憶されている。
【００８７】
制御部１３０は、ステップＳ５１０の処理に同期させて、ＥＥＰＲＯＭ１３４に記憶されている排出キャンセル音をスピーカ９０に出力させる（Ｓ５２０）。そして、制御部１３０は、記録用紙の後端が排出ローラ対５９を通過するのを監視する（Ｓ５３０）。すなわち、制御部１３０は、記録用紙が排紙トレイ２１に配置されるまでの間、排出キャンセル音をスピーカ９０に出力させ続ける。
【００８８】
記録用紙の後端が排出ローラ対５９を通過すると（Ｓ５３０：Ｙｅｓ）、制御部１３０は、搬送用モータ１０１を停止させることによって、排出ローラ６２の回転を停止させる（Ｓ５４０）。これにより、図７の所定の排出処理（Ｓ５０）が終了される。すなわち排出処理における制御部１３０は、スピーカ９０に、排出ローラ６２による記録用紙の搬送が開始されたタイミングで排出キャンセル音の出力を開始させ、記録用紙の後端が排出ローラ６２を通過したタイミングで排出キャンセル音の出力を停止させる。
【００８９】
再び図７に戻って、制御部１３０は、次のページの画像データが残っているか否かを判断する（Ｓ６０）。次のページの画像データが存在する場合（Ｓ６０：Ｙｅｓ）、制御部１３０は、給紙トレイ２０に載置されている新たな記録用紙に対して、ステップＳ１０〜Ｓ５０の処理を実行する。なお、新たな記録用紙に代えて、直前に画像記録が行われた記録用紙の裏面に画像記録を実行してもよい。その場合、ステップＳ１０の給紙処理に代えて、当該記録用紙を反転させて搬送路６５に戻す処理が実行される。一方、次のページの画像データが存在しない場合（Ｓ６０：Ｎｏ）、制御部１３０は、画像記録処理を終了する。
【００９０】
［本実施形態の効果］
本実施形態によれば、スピーカ９０から出力される音声は、音響空間８１、連通溝８２、及び開放空間１６を通って開口１３から複合機１０の外部に出力される。このように、スピーカ９０の前方に容積の大きな空間を設けることにより、スピーカ９０の音質が向上する。また、スピーカ９０の音を出力するための小孔を筐体１４の壁面に設ける必要がないので、複合機１０の内部への異物等の侵入を防止できる。
【００９１】
また、本実施形態において、動作音を発生させる主な構成要素は開放空間１６に隣接する位置に配置されているので、当該動作音の大部分は開放空間１６を通って開口１３から複合機１０の外部に放出される。そこで、スピーカ９０に当該動作音の相殺音を出力させ、開放空間１６の内で動作音と相殺音とを合成（つまり、互いに打ち消し合う）してから放出することにより、静粛性に優れた複合機１０を実現できる。
【００９２】
［変形例］
本実施形態では、スピーカ９０を音響室８０の外側に配置し、音響室８０の開口８３を通じて音声出力面９１を音響空間８１に露出させる構成を説明した。しかしながら、本発明はこれに限定されない。例えば、図１２に示されるように、スピーカ９０を音響室８４の内部、すなわち、音響空間８５内に配置してもよい。
【００９３】
なお、図１２に示される音響空間８５は、第１空間８６と第２空間８７とに区画されている。そして、スピーカ９０は、その音声出力面９１を第１空間８６に向け、音声出力面９１の背面を第２空間８７に向けた状態で音響空間８５に配置される。すなわち、図１２に示される音響空間８５は、スピーカ９０によって第１空間８６と第２空間８７とに区画されている。
【００９４】
さらに、第１空間８６と第２空間８７とは、連通溝８２に至るより手前で互いに合流している。すなわち、スピーカ９０の音声出力面９１から第１空間８６に出力された音と、スピーカ９０の音声出力面９１の背面から第２空間８７に出力された音とは、図１２の破線の矢印で示されるように、連通溝８２に至る手前で合成され、合成された音が連通溝８２を通じて開放空間１６に放出される。
【００９５】
上記構成によれば、内部にスピーカ９０を備える音響室８４がバスレフスピーカとなって、特に低音域が増強される。その結果、高音域の音が聞き取りにくい高齢者等に対して、警告音やガイダンス音声等を低音域で出力することができる。すなわち、幅広い世代のユーザに対して聞き取りやすい音声を出力可能な複合機１０を実現できる。
【００９６】
また、本実施形態では、音響室８０の前面側を向く壁面にスピーカ９０の音声出力面９１が圧接されている例、換言すれば、図２に示されるように、音声出力面９１を前後方向８の後向きに向けてスピーカ９０を配置した例を説明した。しかしながら、音声出力面９１の向きは上述の例に限定されない。例えば、スピーカ９０は、音声出力面９１を上下方向７の下向きに向けて音響空間８１内に配置されてもよい。
【００９７】
例えば、図１に示されるように複合機１０が設置された状態において、複合機１０が載置される載置面と複合機１０の下面との間には、空間が形成される。すなわち、開放空間１６は、図１に示されるように、給紙トレイ２０及び排紙トレイ２１の上側においてのみ外部に開放されているのではなく、給紙トレイ２０と載置面との間においても外部に開放されている。そこで、上述のように、音声出力面９１を下に向けてスピーカ９０を配置することにより、給紙トレイ２０と載置面との間に形成された空間からも積極的に音声を放出することができる。
【００９８】
また、本実施形態では、スピーカ９０から出力された音を音響室８０を経由して開放空間１６に放出した例を説明したが、本発明はこれに限定されず、スピーカ９０の音声出力面９１を開放空間１６に直接露出させてもよい。例えば、開放空間１６を区画する壁面のうち、左右方向９に対向する一対の側壁面の一方にスピーカ９０の音声出力面９１を露出させてもよい。この場合、スピーカ９０は、開放空間１６と左右方向９に隣接する位置に配置される。または、開放空間１６を区画する壁面のうち、開口１３に対向する奥壁面にスピーカ９０の音声出力面９１を露出させてもよい。この場合、スピーカ９０は、開放空間１６と前後方向８に隣接する位置に配置される。
【００９９】
上記構成によれば、スピーカ９０から出力された音声が筐体１４の内部の複雑な経路を通ることなく、開口１３から外部に直接放出されるので、十分な音量を確保するのが容易となる。ここで、特に開放空間１６の奥側には搬送ローラ対５８及び記録部２４等が設けられており、スピーカ９０を配置する空間は極めて小さい。そこで、厚み寸法を薄くできる圧電型のスピーカ９０を採用することにより、上述の小さな空間に配置することが可能となる。
【０１００】
なお、上述の「開放空間１６を区画する壁面」とは、開放空間の外縁（境界）を定める壁面を指す。なお、開放空間１６は、専用の隔壁によって区画されている必要は必ずしもなく、周辺に配置された他の構成要素の壁面によって区画されていてもよい。例えば、図２に示される下側ガイド部材５３は、開放空間１６を区画する壁面として利用され得る。
【０１０１】
さらに、本実施形態では、ＥＥＰＲＯＭ１３４に予め記憶されている相殺音を、複合機１０の各構成要素の動作に同期させてスピーカ９０から出力する例を説明した。しかしながら、本発明はこれに限定されない。例えば、複合機１０に設けられたマイク（不図示）によって動作音を収音し、収音した動作音からリアルタイムに相殺音を生成して出力するノイズキャンセル処理を、複合機１０の動作中に継続して実行してもよい。これにより、複合機１０から実際に出力されている動作音を打ち消すことができるので、使用環境等に依存する動作音の変化等に柔軟に対応できる。なお、この場合の相殺音の生成方法は上述した方法と共通するので、再度の説明は省略される。
【０１０２】
また、マイクを配置する場所は特に限定されないが、例えば、開放空間１６内にマイクを配置してもよい。この場合、マイクは、動作音と相殺音とが合成された音を収音することになる。そこで、制御部１３０は、マイクによって収音される音が無音（つまり、音圧が０）に近づくように、相殺音を生成する処理にフィードバック処理を適用してもよい。これにより、さらに効果的に動作音を打ち消すことができる。
【０１０３】
但し、上記構成によれば、警告音やガイダンス音声等の本来は打ち消されるべきでない音までもが打ち消されてしまう。そこで、警告音やガイダンス音声を出力する場合には、図１３に示されるフローチャートに従って処理が実行されるのが望ましい。
【０１０４】
まず、ＲＡＭ１３３には、ノイズキャンセルフラグが保持されている。ノイズキャンセルフラグがＯＮ（例えば、”１”が設定されている）の場合、制御部１３０は、上述のノイズキャンセル処理を継続的に実行する。一方、ノイズキャンセルフラグがＯＦＦ（例えば、”０”が設定されている）の場合、制御部１３０は、上述のノイズキャンセル処理を停止する。通常状態におけるノイズキャンセルフラグは、ＯＮとなっている。
【０１０５】
そして、制御部１３０は、警告音又はガイダンス音声を出力する前に、ＲＡＭ１３３に保持されているノイズキャンセルフラグの値を確認する（Ｓ６１０）。ノイズキャンセルフラグがＯＮであれば（Ｓ６１０：Ｙｅｓ）、制御部１３０は、ノイズキャンセルフラグをＯＦＦに変更（Ｓ６２０）し、警告音又はガイダンス音声をスピーカ９０に出力させ（Ｓ６３０）、再度ノイズキャンセルフラグをＯＮに変更する（Ｓ６４０）。すなわち、制御部１３０は、警告音又はガイダンス音声を出力する間だけノイズキャンセルフラグをＯＦＦにし、上述のノイズキャンセル処理を停止する。一方、ステップＳ６１０の段階で既にノイズキャンセルフラグがＯＦＦであれば（Ｓ６１０：Ｎｏ）、制御部１３０は、警告音又はガイダンス音声をスピーカ９０に出力させる（Ｓ６５０）。
【０１０６】
上記構成によれば、警告音又はガイダンス音声が出力されている間にノイズキャンセル処理が実行されないので、警告音やガイダンス音声が打ち消されることによって、聞き取りにくくなることを防止できる。
【０１０７】
なお、上記の実施形態及び変形例では、複合機１０にスピーカ９０を１つだけ設けた例を説明したが、複数のスピーカを設けてもよいことは言うまでもない。また、上記の実施形態及び変形例では、インクジェット方式の記録部２４を備える複合機１０を前提として説明したが、画像記録の方式はこれに限定されず、あらゆる画像記録方式の複合機１０に適用できることは言うまでもない。一例として、帯電させたドラムに付着させたトナーを記録用紙に定着させる所謂レーザプリンタにも適用できる。
【０１０８】
上記の実施形態及び変形例は、本発明の趣旨を逸脱しない範囲において、任意の組み合わせで組み合わせることができる。
【符号の説明】
【０１０９】
１０・・・複合機
１３・・・開口
１４・・・筐体
１６・・・開放空間
２０・・・給紙トレイ
２４・・・記録部
２５・・・給紙ローラ
３０・・・カートリッジ収納部
３８・・・記録ヘッド
４０・・・キャリッジ
５０・・・廃インクタンク
６０・・・搬送ローラ
６２・・・排出ローラ
６５・・・搬送路
８１・・・音響空間
８２・・・連通溝
９０・・・スピーカ
９１・・・音声出力面
１３０・・制御部
【図１】
2014069451.tif 000003
【図２】
2014069451.tif 000004
【図３】
2014069451.tif 000005
【図４】
2014069451.tif 000006
【図５】
2014069451.tif 000007
【図６】
2014069451.tif 000008
【図７】
2014069451.tif 000009
【図８】
2014069451.tif 000010
【図９】
2014069451.tif 000011
【図１０】
2014069451.tif 000012
【図１１】
2014069451.tif 000013
【図１２】
2014069451.tif 000014
【図１３】
2014069451.tif 000015